(57)【要約】【課題】バッテリが再装着された場合にユーザ設定時刻を維持する。【解決手段】携帯電子機器１は、筐体１０２から取り外し可能なバッテリ３１と、バッテリ３１の電力を用いて動作し、時刻設定が可能な時刻計測部１８と、時刻計測部１８が計測する時刻を報知する報知部２２と、実時刻を受信する受信部１５、１６と、実時刻と時刻計測部１８が計測する時刻との時間差を記憶する記憶部１７と、バッテリ３１が装着された場合に、受信部１５、１６が受信した実時刻および記憶部１７が記憶する時間差５２から、時刻計測部１８に設定する時刻を演算する時刻演算部４２とを有する。【選択図】図２
2010258832.tif 000002
【特許請求の範囲】
【請求項１】
当該携帯電子機器の筐体から取り外し可能なバッテリと、
前記バッテリの電力を用いて動作し、時刻設定が可能な時刻計測部と、
前記時刻計測部が計測する時刻を報知する報知部と、
実時刻を受信する受信部と、
実時刻と前記時刻計測部が計測する時刻との時間差を記憶する記憶部と、
前記バッテリが装着された場合に、前記受信部が受信した実時刻および前記記憶部が記憶する時間差から、前記時刻計測部に設定する時刻を演算する時刻演算部と、
前記時刻演算部が演算した時刻を前記時刻計測部に設定する時刻設定部と
を有する携帯電子機器。
【請求項２】
前記携帯電子機器は、
前記バッテリが装着された場合に、前記時刻計測部が計測する時刻と前記受信部が受信した実時刻との時間差を演算する第１時間差演算部を有し、
前記時刻演算部は、
前記第１時間差演算部が演算した時間差と前記記憶部が記憶する時間差とが一致しない場合、前記時刻計測部に設定する時刻を演算する
請求項１記載の携帯電子機器。
【請求項３】
前記記憶部は、
実時刻に対する前記時刻計測部が計測する時刻の時間差を記憶し、
前記時刻演算部は、
前記受信部が受信した実時刻に、前記記憶部が記憶する時間差を加算して、前記時刻計測部に設定する時刻を演算する
請求項２記載の携帯電子機器。
【請求項４】
前記携帯電子機器は、
前記時刻計測部に設定する時刻が第１の操作により入力され、
前記第１の操作により入力された時刻と前記受信部が受信した実時刻との時間差を演算する第２時間差演算部と
を有し、
前記記憶部は、
前記第２時間差演算部により演算された時間差を記憶する
請求項１から３のいずれか一項記載の携帯電子機器。
【請求項５】
前記携帯電子機器は、
前記携帯電子機器の時刻の自動補正の有効無効が第２の操作により入力され、
前記記憶部は、
前記第２の操作により入力された時刻の自動補正の有効無効を記憶し、
前記時刻設定部は、
前記記憶部に記憶される時刻の自動補正の設定が有効である場合、前記受信部が受信した実時刻を前記時刻計測部に設定し、
前記記憶部に記憶される時刻の自動補正の設定が無効である場合、前記時刻演算部が演算した時刻を前記時刻計測部に設定する
請求項１から４のいずれか一項記載の携帯電子機器。
【請求項６】
前記時刻演算部は、
前記携帯電子機器が起動された場合に、前記時刻計測部に設定する時刻を演算する
請求項１記載の携帯電子機器。
【請求項７】
前記携帯電子機器は、
基地局と無線通信する通信処理部と、
前記通信処理部の通信処理に使用する前記携帯電子機器の利用者情報を記憶し、前記携帯電子機器の筐体から取り外し可能な記録媒体と
を有し、
前記バッテリは、
前記記録媒体を取り外す時に前記携帯電子機器から取り外される
請求項６記載の携帯電子機器。
【請求項８】
前記報知部は、
前記時刻計測部が計測する時刻を表示する表示部であり、
前記携帯電子機器は、
前記時刻計測部が計測する時刻を表示するサブ表示部を有する
請求項１記載の携帯電子機器。
【請求項９】
前記報知部は、
前記時刻計測部が、前記第１の操作に基づいて設定された時刻で動作している場合と、前記時刻設定部により設定された時刻で動作している場合とで、時刻の報知を変える
請求項４記載の携帯電子機器。
【請求項１０】
前記受信部は、
当該携帯電子機器が通信する基地局から、実時刻の情報を含む電波を受信する
請求項１記載の携帯電子機器。
【請求項１１】
前記受信部は、
実時刻の情報を含む位置情報システムの電波を受信する
請求項１記載の携帯電子機器。
【請求項１２】
当該携帯電子機器の筐体から取り外し可能なバッテリにより駆動され、時刻を計測する時刻計測部を有する携帯電子機器の前記時刻計測部に、実時刻とは異なるユーザ設定時刻を設定する設定処理と、
前記携帯電子機器にバッテリが装着された場合に、前記時刻計測部の時刻を補正する補正処理と
を含み、
前記設定処理は、
実時刻を受信するステップと、
実時刻と前記ユーザ設定時刻との時間差を演算するステップと、
演算された前記時間差を記憶部に記憶させるステップと
を含み、
前記補正処理は、
実時刻を受信するステップと、
前記実時刻および前記記憶部が記憶する時間差から、前記時刻計測部に設定する時刻を演算するステップと、
演算した前記時刻を、前記時刻計測部に設定するステップと
を含む携帯電子機器におけるユーザ設定時刻の補正方法。
【発明の詳細な説明】
【技術分野】
【０００１】
本発明は、時刻を報知する携帯電子機器および携帯電子機器におけるユーザ設定時刻の補正方法に関する。
【背景技術】
【０００２】
特許文献１は、メイン電池とバックアップ電池を有する携帯電子機器を開示する。
そして、特許文献１の携帯電子機器は、バックアップ電池の残量が所定値未満になると、設定メモリに記憶する設定情報を不揮発性のバックアップメモリに保存する。
【先行技術文献】
【特許文献】
【０００３】
【特許文献１】特開２００６−３０２１７２号公報
【発明の概要】
【発明が解決しようとする課題】
【０００４】
ところで、ユーザが携帯する携帯電子機器では、時刻を表示可能なものがある。
この場合において、実際の時刻ではなく、ユーザが設定した時刻を携帯電子機器に表示させたいという要望がある。
そして、このようなユーザ設定時刻を表示する携帯電子機器では、特許文献１のようにバックアップ電池を保有していないと、バッテリ交換時などにおいてバッテリを携帯電子機器から取り外した場合に、ユーザ設定時刻を保持することができない。
また、携帯電話機では、携帯電話機の利用者情報を記憶するＳＩＭカードを交換する場合、起動中のＳＩＭカード交換を防止するためにバッテリを取り外す必要がある。
そのため、携帯電話機では、ＳＩＭカードを交換する場合にも、ユーザ設定時刻を保持することができない。
【０００５】
このように携帯電子機器では、バッテリが再装着された場合にユーザ設定時刻を維持することが望まれている。
【課題を解決するための手段】
【０００６】
本発明の第１の観点の携帯電子機器は、当該携帯電子機器の筐体から取り外し可能なバッテリと、前記バッテリの電力を用いて動作し、時刻設定が可能な時刻計測部と、前記時刻計測部が計測する時刻を報知する報知部と、実時刻を受信する受信部と、実時刻と前記時刻計測部が計測する時刻との時間差を記憶する記憶部と、前記バッテリが装着された場合に、前記受信部が受信した実時刻および前記記憶部が記憶する時間差から、前記時刻計測部に設定する時刻を演算する時刻演算部と、前記時刻演算部が演算した時刻を前記時刻計測部に設定する時刻設定部とを有する。
【０００７】
好適には、前記携帯電子機器は、前記バッテリが装着された場合に、前記時刻計測部が計測する時刻と前記受信部が受信した実時刻との時間差を演算する第１時間差演算部を有し、前記時刻演算部は、前記第１時間差演算部が演算した時間差と前記記憶部が記憶する時間差とが一致しない場合、前記時刻計測部に設定する時刻を演算してもよい。
【０００８】
好適には、前記記憶部は、実時刻に対する前記時刻計測部が計測する時刻の時間差を記憶し、前記時刻演算部は、前記受信部が受信した実時刻に、前記記憶部が記憶する時間差を加算して、前記時刻計測部に設定する時刻を演算してもよい。
【０００９】
好適には、前記携帯電子機器は、前記時刻計測部に設定する時刻が第１の操作により入力され、前記第１の操作により入力された時刻と前記受信部が受信した実時刻との時間差を演算する第２時間差演算部とを有し、前記記憶部は、前記第２時間差演算部により演算された時間差を記憶してもよい。
【００１０】
好適には、前記携帯電子機器は、前記携帯電子機器の時刻の自動補正の有効無効が第２の操作により入力され、前記記憶部は、前記第２の操作により入力された時刻の自動補正の有効無効を記憶し、前記時刻設定部は、前記記憶部に記憶される時刻の自動補正の設定が有効である場合、前記受信部が受信した実時刻を前記時刻計測部に設定し、前記記憶部に記憶される時刻の自動補正の設定が無効である場合、前記時刻演算部が演算した時刻を前記時刻計測部に設定してもよい。
【００１１】
好適には、前記時刻演算部は、前記携帯電子機器が起動された場合に、前記時刻計測部に設定する時刻を演算してもよい。
【００１２】
好適には、前記携帯電子機器は、基地局と無線通信する通信処理部と、前記通信処理部の通信処理に使用する前記携帯電子機器の利用者情報を記憶し、前記携帯電子機器の筐体から取り外し可能な記録媒体とを有し、前記バッテリは、前記記録媒体を取り外す時に前記携帯電子機器から取り外されてもよい。
【００１３】
好適には、前記報知部は、前記時刻計測部が計測する時刻を表示する表示部であり、前記携帯電子機器は、前記時刻計測部が計測する時刻を表示するサブ表示部を有してもよい。
【００１４】
好適には、前記報知部は、前記時刻計測部が、前記第１の操作に基づいて設定された時刻で動作している場合と、前記時刻設定部により設定された時刻で動作している場合とで、時刻の報知を変えてもよい。
【００１５】
好適には、前記受信部は、当該携帯電子機器が通信する基地局から、実時刻の情報を含む電波を受信してもよい。
【００１６】
好適には、前記受信部は、実時刻の情報を含む位置情報システムの電波を受信してもよい。
【００１７】
本発明の第２の観点の携帯電子機器におけるユーザ設定時刻の補正方法は、当該携帯電子機器の筐体から取り外し可能なバッテリにより駆動され、時刻を計測する時刻計測部を有する携帯電子機器の前記時刻計測部に、実時刻とは異なるユーザ設定時刻を設定する設定処理と、前記携帯電子機器にバッテリが装着された場合に、前記時刻計測部の時刻を補正する補正処理とを含む。そして、前記設定処理は、実時刻を受信するステップと、実時刻と前記ユーザ設定時刻との時間差を演算するステップと、演算された前記時間差を記憶部に記憶させるステップとを含む。また、前記補正処理は、実時刻を受信するステップと、前記実時刻および前記記憶部が記憶する時間差から、前記時刻計測部に設定する時刻を演算するステップと、演算した前記時刻を、前記時刻計測部に設定するステップとを含む。
【発明の効果】
【００１８】
本発明によれば、バッテリが再装着された場合にユーザ設定時刻を維持できる。
【図面の簡単な説明】
【００１９】
【図１】図１は、本発明の実施形態に係る携帯電話機の外観図である。図１（Ａ）は、携帯電話機を開いた開状態である。図１（Ｂ）は、携帯電話機を閉じた閉状態である。
【図２】図２は、図１の携帯電話機の電気回路のハードウェア構成のブロック図である。
【図３】図３は、図１の携帯電話機の下部筐体を背面側から見た斜視図である。
【図４】図４は、図２の記憶部に記憶されるデータの一例である。
【図５】図５は、図１の携帯電話機の時刻表示処理のフローチャートである。
【図６】図６は、図１の携帯電話機の時刻自動補正の設定処理のフローチャートである。
【図７】図７は、図１の携帯電話機の起動処理のフローチャートである。
【図８】図８は、実施形態と対比される携帯電話機の電気回路のハードウェア構成のブロック図である。
【図９】図９は、変形例の時刻表示処理のフローチャートである。
【発明を実施するための形態】
【００２０】
以下、本発明の実施形態を図面に関連付けて説明する。
【００２１】
図１は、本発明の実施形態に係る携帯電話機１の外観図である。図１（Ａ）は、携帯電話機１を開いた開状態である。図１（Ｂ）は、携帯電話機１を閉じた閉状態である。
図１の携帯電話機１は、上部筐体１０１、下部筐体１０２およびヒンジ部１０３を有する。
【００２２】
ヒンジ部１０３は、上部筐体１０１と下部筐体１０２とを開閉可能に連結する。
上部筐体１０１の開閉の内面には、表示部２２が設けられる。
上部筐体１０１の外面には、サブ表示部２４が設けられる。
下部筐体１０２の内面には、操作部１９が設けられる。
【００２３】
そして、図１（Ａ）の開状態では、表示部２２と操作部１９とが上下に並ぶ。また、図１（Ｂ）の閉状態では、表示部２２と操作部１９とが向かい合わせに重なる。
サブ表示部２４は、図１（Ｂ）の閉状態においても、携帯電話機１の表面に露出する。
【００２４】
図２は、図１の携帯電話機１の電気回路のハードウェア構成のブロック図である。
携帯電話機１は、集積回路（ＩＣ）１１を有する。
【００２５】
集積回路１１は、ＣＰＵ（Central Processing Unit）１２と、内部バス１３とを有する。
ＣＰＵ１２が記憶部１７に記憶されるプログラムを実行することで、集積回路１１には制御部（ＣＴＲＬ）４１が実現される。
また、集積回路１１は、時刻演算部４２、時刻設定部４３、第１時間差演算部４４、第２時間差演算部４５を含む。
なお、時刻演算部４２、時刻設定部４３、第１時間差演算部４４、および第２時間差演算部４５は、たとえばＣＰＵ１２が記憶部１７に記憶されるプログラムを実行することで、集積回路１１に実現される。
【００２６】
集積回路１１には、複数の周辺デバイス部が接続される。
具体的には、集積回路１１には、通信処理部１５（ＲＦ）、ＧＰＳ受信部（ＧＰＳ：Global Positioning System）１６、記憶部（ＭＥＭ）１７、ＲＴＣ部（ＲＴＣ）１８が接続される。
また、集積回路１１には、操作部（ＫＥＹ）１９、マイクロホン２０、スピーカ２１、表示部（ＤＩＳＰ）２２、シリアルＩＦ（インタフェース）部（Ｓ＿ＩＦ）２３、およびサブ表示部（Ｓ＿ＤＩＳＰ）２４が接続される。
これらの周辺デバイス部は、内部バス１３によりＣＰＵ１２と接続される。
【００２７】
また、携帯電話機１は、バッテリ３１、電源回路３２を有する。
【００２８】
バッテリ３１は、たとえばリチウムイオン電池である。
バッテリ３１は、充電された電力を保持する。
【００２９】
電源回路３２は、バッテリ３１に接続される。
また、電源回路３２は、電源ライン３３により、集積回路１１および周辺デバイス部に接続される。
そして、電源回路３２は、バッテリ３１の蓄電電圧を所定の電圧へ変換し、集積回路１１および周辺デバイス部へ供給する。このように集積回路１１および周辺デバイス部は、バッテリ３１の電力を用いて動作する。
【００３０】
図３は、図１の携帯電話機１の下部筐体１０２を背面側から見た斜視図である。
図３は、下部筐体１０２の背面カバーを開いた状態である。
バッテリ３１は、下部筐体１０２のバッテリ収容部１０４に収容される。バッテリ収容部１０４に収容された状態で、バッテリ３１は電源回路３２に接続される。
また、バッテリ３１は、バッテリ収容部１０４から取り出して交換することができる。
【００３１】
通信処理部１５は、携帯電話機１用の図示外の基地局と通信チャネルを確立し、基地局と通信データを送受する。
通信データには、電子メールデータ、通話データなどがある。また、基地局から通信処理部１５が受信する通信データには、通信パケット毎に、基地局が保持する実時刻の情報が含まれている。なお、実時刻とは、携帯電話機１が存在する地域の時刻をいう。
そして、通信処理部１５は、基地局から通信データを受信すると、受信した通信データおよび実時刻の情報を集積回路１１へ出力する。
また、通信処理部１５は、集積回路１１から通信データを含む信号が入力されると、当該通信データを基地局へ無線送信する。
【００３２】
ＧＰＳ受信部１６は、位置情報システムのＧＰＳ衛星が送信するＧＰＳ電波を受信する。ＧＰＳ電波には、ＧＰＳ衛星の精確な位置情報および時刻の情報が含まれる。
そして、ＧＰＳ受信部１６は、受信したＧＰＳ電波に含まれる位置情報および時刻情報を含む信号を集積回路１１へ出力する。
【００３３】
シリアルＩＦ部２３は、ＵＩＭカード（ＵＩＭ：User Identity Module）３４が着脱可能に装着される。
そして、シリアルＩＦ部２３は、ＵＩＭカード３４にアクセスする。
ＵＩＭカード３４は、たとえばフラッシュメモリを有する。
ＵＩＭカード３４は、携帯電話機１のユーザに固有の利用者情報などを記憶する。
【００３４】
ＵＩＭカード３４は、図３に示すように、バッテリ収容部１０４の底面に形成されたＵＩＭカード装着部１０５に収容される。
そのため、ＵＩＭカード３４を交換する場合、バッテリ収容部１０４からバッテリ３１を取り出し、ＵＩＭカード装着部１０５に収容されている古いＵＩＭカード３４を取り外す必要がある。
また、新たなＵＩＭカード３４をＵＩＭカード装着部１０５に装着してから、バッテリ収容部１０４にバッテリ３１を戻す必要がある。
このようにＵＩＭカード３４を交換する場合、携帯電話機１からバッテリ３１を外す必要がある。
そのため、ＵＩＭカード３４の交換時には、携帯電話機１の電源がオフになる。また、ＵＩＭカード３４の交換後には、携帯電話機１を起動する必要がある。
【００３５】
また、通信処理部１５は、このＵＩＭカード３４に記憶されているユーザの利用者情報を用いて基地局と通信する。
そして、携帯電話機１の無線通信システムは、基地局が受信した利用者情報を用いて、各ユーザへの課金などを制御する。
また、携帯電話機１を使用するユーザを変更する場合、ＵＩＭカード３４を新たなユーザのものに差し替えればよい。
【００３６】
ＲＴＣ部１８は、時刻を計測するタイマである。
また、ＲＴＣ部１８は、時刻の初期値を設定可能である。
そして、ＲＴＣ部１８は、集積回路１１から時刻の初期値が設定されると、その設定時刻から時刻を計測する。
また、ＲＴＣ部１８は、計測する時刻を集積回路１１へ出力する。
【００３７】
表示部２２は、ＬＣＤ（Liquid Crystal Display Device）または有機ＥＬ（Electro-Luminescence）デバイスを有する。ＬＣＤまたは有機ＥＬデバイスは、ＲＧＢの色成分毎に複数の画素（Pixel）がマトリックス配置された表示領域を有する。
表示部２２は、上部筐体１０１の内面に設けられる。
そして、表示部２２は、集積回路１１から表示データを含む信号が入力されると、入力した信号に含まれる表示データを表示領域に表示する。
これにより、表示部２２には、たとえば時刻などが表示される。
【００３８】
サブ表示部２４は、表示部２２より小さいサイズのＬＣＤまたは有機ＥＬデバイスを有する。
サブ表示部２４は、上部筐体１０１の外面に設けられる。
そして、サブ表示部２４は、集積回路１１から表示データを含む信号が入力されると、入力した信号に含まれる表示データを表示領域に表示する。
これによりサブ表示部２４には、たとえば時刻などが表示される。
【００３９】
操作部１９は、複数の操作キーを有する。
操作キーには、たとえば電源キー、通話キー、数字キー、文字キーなどがある。
操作キーは、下部筐体１０２の内面に配列される。
そして、操作部１９は、ユーザにより操作キーが操作されると、操作された操作キーに対応するデータを含む信号を集積回路１１へ出力する。
【００４０】
マイクロホン２０およびスピーカ２１は、集積回路１１に接続される。
そして、集積回路１１は、マイクロホン２０に入力された音声をサンプリングして音声データを生成する。
また、集積回路１１は、音声データを含む信号をスピーカ２１へ出力する。
これにより、スピーカ２１から音声データに対応する音声が出力される。
【００４１】
記憶部１７は、たとえばフラッシュメモリを有する。
そして、記憶部１７は、集積回路１１のＣＰＵ１２が読み込んで実行可能なプログラム、およびＣＰＵ１２により利用されるデータを記憶する。
【００４２】
図４は、記憶部１７に記憶されるデータの一例である。
記憶部１７は、自動時刻補正設定データ５１、時間差データ５２などを記憶する。
【００４３】
自動時刻補正設定データ５１は、モード設定データの一種であり、ＲＴＣ部１８が計測する時刻を自動的に補正するか否かの設定値を有する。
この設定値は、オンを示す値、またはオフを示す値である。
図４では、自動時刻補正設定データ５１は、自動補正をオフする値を有する。
【００４４】
時間差データ５２は、ユーザが時刻をマニュアル設定した時の実時刻に対する設定時刻の時間差ＴＤの値を有する。
図４では、時間差データ５２は、時間差ＴＤの値として、マイナス１０分を有する。
【００４５】
次に、図１の携帯電話機１の動作を説明する。
図５は、図１の携帯電話機１の時刻表示処理のフローチャートである。
【００４６】
時刻表示処理において、制御部４１は、ＲＴＣ部１８から、ＲＴＣ部１８が計測している時刻Ｔ（ＲＴＣ）を読み込む（ステップＳ１）。
その後、制御部４１は、ＲＴＣ部１８から読み込んだ時刻Ｔ（ＲＴＣ）により、表示部２２に表示するメイン表示時刻を更新する（ステップＳ２）。
また、制御部４１は、ＲＴＣ部１８から読み込んだ時刻Ｔ（ＲＴＣ）により、サブ表示部２４に表示するサブ表示時刻を更新する（ステップＳ３）。
【００４７】
以上の図５の時刻表示処理により、表示部２２に表示される時刻と、サブ表示部２４に表示される時刻とは、ＲＴＣ部１８が計測している時刻に更新される。
また、制御部４１がこの時刻表示処理を繰り返し実行する。
これにより、表示部２２およびサブ表示部２４に表示される時刻は、携帯電話機１で計測する最新の時刻に更新される。
【００４８】
図６は、図１の携帯電話機１の時刻の自動補正機能の設定処理のフローチャートである。
図６の設定処理において、制御部４１は、機能設定モードであると判断し（ステップＳ１１）、さらに時刻の自動補正を設定すると判断すると（ステップＳ１２）、制御部４１は、時刻の自動補正機能の設定モードになる。
【００４９】
制御部４１は、操作部１９から時刻の自動補正機能の設定値が設定値が入力されると、入力された設定値を記憶部１７に保存する（ステップＳ１３）。
これにより、記憶部１７には、第２の操作により入力された図４の自動時刻補正設定データ５１が記憶される。
【００５０】
自動時刻補正設定データ５１を保存した後、制御部４１は、時刻の自動補正機能の設定値がオフであるか否かを判断する（ステップＳ１４）。
たとえば制御部４１は、時刻の自動補正機能の設定モード中に操作部１９から入力される値に基づいて、オンまたはオフを判断する。
【００５１】
設定値がオンである場合、制御部４１は、ステップＳ１４においてＮｏと判断する。
そして、制御部４１は、実時刻Ｔ（Ｒ）を取得する（ステップＳ１５）。
ステップＳ１５では、制御部４１は、通信処理部１５が基地局から受信した実時刻Ｔ（Ｒ）を取得する。
また、制御部４１は、携帯電話機１が基地局と通信できない圏外にあり、通信処理部１５から実時刻を取得できない場合、ＧＰＳ受信部１６からＧＰＳ衛星の時刻情報Ｔ（Ｒ）を取得する。
【００５２】
実時刻を取得した後、制御部４１は、取得した実時刻Ｔ（Ｒ）をＲＴＣ部１８に設定する（ステップＳ１６）。
ステップＳ１６では、集積回路１１は、時刻の値を含む信号をＲＴＣ部１８へ出力する。
ＲＴＣ部１８は、集積回路１１から入力される時刻で、計測する時刻を更新する。
また、ＲＴＣ部１８は、更新した時刻から新たな時刻Ｔ（ＲＴＣ）の計測を開始する。
【００５３】
これに対して、時刻の自動補正機能の設定値がオフである場合、制御部４１は、ステップＳ１４においてＹｅｓと判断する。
そして、制御部４１は、時刻入力の有無を判断する（ステップＳ１７）。
ステップＳ１７では、制御部４１は、操作部１９から入力される値に基づいて、時刻入力の有無を判断する。
そして、操作部１９から設定時刻が入力された場合、制御部４１は、時刻入力有りと判断する。これにより、携帯電話機１には、第１の操作によりユーザ設定時刻が入力される。
これに対して、操作部１９から設定時刻以外の値が入力された場合、制御部４１は、時刻入力が無いと判断する。この場合、制御部４１は、時刻の自動補正機能の設定処理を終了する。
【００５４】
操作部１９から設定時刻が入力されてステップＳ１７においてＹｅｓと判断した場合、制御部４１は、実時刻Ｔ（Ｒ）を取得する（ステップＳ１８）。
ＲＴＣ部１８の計測時刻を読み込んだ後、制御部４１は、実時刻Ｔ（Ｒ）に対する設定時刻の時間差ＴＤを演算する（ステップＳ１９）。
ステップＳ１９では、たとえば第２時間差演算部４５は、制御部４１の演算指示に基づいて、実時刻Ｔ（Ｒ）から設定時刻を減算する。これにより、実時刻Ｔ（Ｒ）に対するユーザ設定時刻の時間差ＴＤが演算される。
【００５５】
また、制御部４１は、演算した時間差ＴＤを記憶部１７に保存する（ステップＳ２０）。
これにより記憶部１７には、図４の時間差データ５２が記憶される。
【００５６】
また、制御部４１は、操作部１９から入力された設定時刻をＲＴＣ部１８に設定する（ステップＳ２１）。
ステップＳ２１では、集積回路１１は、設定時刻の値を含む信号をＲＴＣ部１８へ出力する。
ＲＴＣ部１８は、集積回路１１から入力される設定時刻で、計測する時刻を更新する。
また、ＲＴＣ部１８は、更新した時刻から新たな時刻Ｔ（ＲＴＣ）の計測を開始する。
【００５７】
以上の図６の設定処理により、制御部４１は、時刻の自動補正機能がオン（有効）である場合、ＲＴＣ部１８に実時刻Ｔ（Ｒ）を設定する。
したがって、ＲＴＣ部１８は、実時刻Ｔ（Ｒ）を計測する。
また、時刻の自動補正機能がオフ（無効）である場合、制御部４１は、ＲＴＣ部１８にユーザが入力した時刻を設定する。
したがって、ＲＴＣ部１８は、ユーザ設定時刻を計測する。
【００５８】
図７は、図１の携帯電話機１の起動処理のフローチャートである。
携帯電話機１の起動処理において、制御部４１は、携帯電話機１の電源がオンされたか否かを判断する（ステップＳ３１）。
ステップＳ３１では、制御部４１は、携帯電話機１の停止状態において操作部１９の電源キーが操作されたか否かを判断する。
そして、操作部１９の電源キーが操作されている場合、制御部４１は、電源がオンされたと判断する。
また、操作部１９の電源キーが操作されていない場合、制御部４１は、電源がオンされなかったと判断する。この場合、操作部１９は、起動処理を終了する。
【００５９】
携帯電話機１の電源がオンされたと判断した場合、制御部４１は、時刻の自動補正機能の設定状態を判断する（ステップＳ３２）。
ステップＳ３２では、制御部４１は、記憶部１７から自動時刻補正設定データ５１を読み込む。
そして、読み込んだ自動時刻補正設定データ５１の値がオンの値である場合、制御部４１は、自動補正機能がオンであると判断する。
また、読み込んだ自動時刻補正設定データ５１の値がオフの値である場合、制御部４１は、自動補正機能がオフであると判断する。
【００６０】
ステップＳ３２で自動補正機能がオンであると判断すると、制御部４１は、ＲＴＣ部１８の計測時刻の自動補正処理を実行する。
具体的には、制御部４１は、実時刻Ｔ（Ｒ）を取得する（ステップＳ３３）。
また、制御部４１は、取得した時刻をＲＴＣ部１８に設定する（ステップＳ３４）。
なお、ステップＳ３３、Ｓ３４の具体的な処理は、ステップＳ１５、Ｓ１６と同じである。
【００６１】
これに対して、ステップＳ３２で時刻の自動補正機能の設定値がオフであると判断すると、制御部４１は、ユーザ設定時刻の自動補正処理の要否を判断し、その判断に応じてユーザ設定時刻の自動補正処理を実行する。
【００６２】
具体的には、制御部４１は、実時刻Ｔ（Ｒ）を取得する（ステップＳ３５）。なお、ステップＳ３５の具体的な処理は、ステップＳ１５と同じである。
また、制御部４１は、ＲＴＣ部１８の計測時刻を取得する（ステップＳ３６）。
制御部４１は、ＲＴＣ部１８から、ＲＴＣ部１８が計測している時刻を読み込む。
そして、制御部４１は、実時刻Ｔ（Ｒ）に対する計測時刻の時間差Δｔを演算する（ステップＳ３７）。
ステップＳ３７では、たとえば第１時間差演算部４４は、制御部４１の演算指示に基づいて、実時刻Ｔ（Ｒ）から設定時刻を減算する。これにより、実時刻Ｔ（Ｒ）に対する計測時刻の時間差Δｔが演算される。
【００６３】
また、制御部４１は、記憶部１７から時間差データ５２を読み込む（ステップＳ３８）。
そして、制御部４１は、演算した時間差Δｔが時間差データ５２の時間差ＴＤと一致するか否かを判断する（ステップＳ３９）。
なお、ステップＳ３９の一致判断では、制御部４１は、たとえば１分単位の時間において時間差Δｔ、ＴＤが一致するか否かを判断すればよい。
これにより、制御部４１は、演算した時間差Δｔと時間差データ５２の時間差ＴＤとが完全に一致しない場合でも、一致すると判断できる。
【００６４】
そして、ステップＳ３９において演算した時間差Δｔと時間差データ５２の時間差ＴＤとが一致すると判断した場合、制御部４１は、図７の処理を終了する。
演算した時間差Δｔと時間差データ５２の時間差ＴＤとが一致する場合、ユーザ設定時刻の自動補正処理は不要である。
【００６５】
また、ステップＳ３９において演算した時間差Δｔと時間差データ５２の時間差ＴＤとが一致しないと判断した場合、制御部４１は、ユーザ設定時刻の自動補正処理を開始する。
具体的には、制御部４１は、記憶部１７から時間差データ５２を読み込む（ステップＳ４０）。
【００６６】
また、制御部４１は、ユーザ設定時刻に対応する設定時刻を演算する（ステップＳ４１）。
ステップＳ４１では、たとえば時刻演算部４２は、制御部４１の演算指示に基づいて、実時刻Ｔ（Ｒ）に、時間差データ５２の時間差ＴＤを加算する。これにより、ユーザ設定時刻に対応する設定時刻が演算される。
【００６７】
そして、制御部４１は、演算した設定時刻を、ＲＴＣ部１８に設定する（ステップＳ４２）。
ステップＳ４２では、たとえば時刻設定部４３は、制御部４１の設定指示に基づいて、演算された設定時刻を含む信号をＲＴＣ部１８へ出力する。これにより、ＲＴＣ部１８に設定時刻が設定される。
ＲＴＣ部１８は、集積回路１１から入力される設定時刻で、計測する時刻を更新する。
また、ＲＴＣ部１８は、更新した設定時刻から新たな時刻の計測を開始する。
【００６８】
以上のように、この実施形態では、ＲＴＣ部１８がユーザ設定時刻を計測している場合でも、携帯電話機１の起動時にユーザ設定時刻を自動更新できる。
よって、携帯電話機１に実際の時刻とは異なる時刻を設定しているユーザに対して、狂い難いユーザ設定時刻を提供できる。
【００６９】
また、この実施形態では、通信処理部１５が基地局から受信した実時刻Ｔ（Ｒ）またはＧＰＳ受信部１６がＧＰＳ衛星から受信した実時刻Ｔ（Ｒ）を用いてユーザ設定時刻の更新時刻を演算し、この時刻をＲＴＣ部１８に設定する。
そのため、この実施形態では、携帯電話機１が基地局の電波を受信できないサービスエリア外に存在する場合でも、狂い難いユーザ設定時刻を提供できる。
【００７０】
また、この実施形態では、携帯電話機１のバッテリ３１またはＵＩＭカード３４を交換し、それによりＲＴＣ部１８の計測時刻が狂ったとしても、携帯電話機１の起動時にＲＴＣ部１８の計測時刻をユーザ設定時刻に自動更新できる。
そのため、ユーザは、バッテリ３１またはＵＩＭカード３４を交換する度に、ユーザ設定時刻を再設定する必要がない。
【００７１】
また、この実施形態では、バックアップバッテリ６１がなくとも、ＲＴＣ部１８の計測時刻をユーザ設定時刻に維持できる。
【００７２】
図８は、実施形態と対比される携帯電話機１の電気回路のハードウェア構成の一例のブロック図である。
この実施形態と対比される携帯電話機１は、バックアップバッテリ（ＢＫＵＰ＿ＢＡＴ）６１と、切替回路（ＳＷ）６２を有する。
切替回路６２は、バックアップバッテリ６１およびバッテリ３１から１つを選択し、ＲＴＣ部１８へ接続する。
【００７３】
この実施形態と対比される携帯電話機１では、バッテリ３１またはＵＩＭカード３４の交換時には、ＲＴＣ部１８にバックアップバッテリ６１が接続される。
よって、ＲＴＣ部１８は、バッテリ３１またはＵＩＭカード３４の交換中にも、時刻を計測し続けることができる。
しかしながら、この実施形態と対比される携帯電話機１では、バッテリ３１の他にバックアップバッテリ６１が必要となる。
そのため、この実施形態と対比される携帯電話機１は、実施形態の携帯電話機１と比べて、携帯電話機１が大型化し、かつ重量化する。
また、この実施形態と対比される携帯電話機１の場合、バックアップバッテリ６１の電力が不足すると、ＲＴＣ部１８が停止し、計測時刻が狂ってしまう。
そのため、この実施形態と対比される携帯電話機１では、バッテリ３１またはＵＩＭカード３４の交換作業を短時間で終わらせる必要がある。
また、バックアップバッテリ６１として大容量の大型のものを使用する必要がある。
また、バックアップバッテリ６１の電力が不足してＲＴＣ部１８が停止した場合には、携帯電話機１にバッテリ３１を再接続した後の時計表示は、たとえばハイフン表示（−：−）になる。この場合、携帯電話機１以外の時計を持たないユーザは、時刻を知る術が無くなってしまう。
【００７４】
これに対して、実施形態では、バッテリ３１またはＵＩＭカード３４の交換作業中は、ＲＴＣ部１８は停止している。
そのため、実施形態では、バッテリ３１またはＵＩＭカード３４の交換作業をあわてずに実施できる。
また、実施形態では、バッテリ３１またはＵＩＭカード３４の交換時だけでなく、携帯電話機１の保守点検時においても、ユーザ設定時刻が狂わないようにできる。
【００７５】
また、実施形態の制御部４１は、図７のステップＳ３５からＳ３９においてＲＴＣ部１８の計測時刻と実時刻Ｔ（Ｒ）との時間差Δｔが、記憶部１７に予め記憶した時間差ＴＤと一致するか否かを判断し、一致しない場合にはユーザ設定時刻を自動補正する。
そのため、実施形態では、たとえばバッテリ３１またはＵＩＭカード３４の交換時には、バッテリ３１またはＵＩＭカード３４が取り外されたことを図７のステップＳ３５からＳ３９により間接的に検出し、その検出に基づいてユーザ設定時刻を自動補正できる。
よって、実施形態では、バッテリ３１またはＵＩＭカード３４が再装着された場合に、ユーザ設定時刻を維持することができる。
【００７６】
以上の実施形態は、本発明の好適な実施形態の例であるが、本発明は、これに限定されることはなく、発明の要旨を逸脱しない範囲において種々の変形または変更が可能である。
【００７７】
たとえば上記実施形態では、ＲＴＣ部１８で計測された時刻を、メイン表示部２２およびサブ表示部２４に表示している。
この他にも例えば、携帯電話機１は、ＲＴＣ部１８で計測された時刻を、スピーカ２１から音声出力してもよい。
【００７８】
上記実施形態は、本発明を携帯電話機１に適用した例である。
この他にも例えば、本発明は、ＰＨＳ（Personal Handy Phone）端末、ＰＤＡ（Personal Data Assistant）、携帯ゲーム機器などのバッテリ駆動される携帯電子機器に適用してもよい。
【００７９】
上記実施形態では、制御部４１は、図５の表示制御により、表示部２２およびサブ表示部２４には、ＲＴＣ部１８が計測する時刻を表示する。
この他にも例えば、制御部４１は、表示部２２およびサブ表示部２４に表示される時刻を、ＲＴＣ部１８が計測する時刻に応じて異なる表示としてもよい。
たとえば、制御部４１は、実時刻を表示する場合と、ユーザ設定時刻を表示する場合とで、時刻表示文字色または時刻表示エリアの背景色を変えてもよい。
また、制御部４１は、自動補正されていないユーザ設定時刻を表示する場合と、自動補正後のユーザ設定時刻を表示する場合とで、時刻表示文字色または時刻表示エリアの背景色を変えてもよい。
【００８０】
図９は、変形例の時刻表示処理のフローチャートである。
図９の時刻表示処理は、自動補正されていないユーザ設定時刻を表示する場合と、自動補正後のユーザ設定時刻を表示する場合とで、時刻表示を切り替える場合のフローチャートである。
【００８１】
時刻表示処理において、制御部４１は、ＲＴＣ部１８から、ＲＴＣ部１８が計測している時刻を読み込む（ステップＳ１）。
その後、制御部４１は、記憶部１７に自動補正フラグが記憶されているか否かを判断する（ステップＳ５１）。
この自動補正フラグは、たとえば図７のステップＳ４２の後に、制御部４１が記憶部１７に記憶させるフラグである。そして、制御部４１がユーザ設定時刻を自動補正した場合、記憶部１７は、自動補正フラグを記憶する。
【００８２】
そして、記憶部１７に自動補正フラグが記憶されていない場合、制御部４１は、ＲＴＣ部１８から読み込んだ時刻を、表示部２２およびサブ表示部２４に通常の表示で表示させる（ステップＳ５２）。
【００８３】
また、記憶部１７に自動補正フラグが記憶されている場合、制御部４１は、ＲＴＣ部１８から読み込んだ時刻を、表示部２２およびサブ表示部２４に反転表示させる（ステップＳ５３）。
【符号の説明】
【００８４】
１…携帯電話機（携帯電子機器）、１５…通信処理部（受信部）、１６…ＧＰＳ受信部（受信部）、１７…記憶部、１８…ＲＴＣ部（時刻計測部）、１９…操作部、２２…表示部（報知部）、２４…サブ表示部（報知部）、３１…バッテリ、３４…ＵＩＭカード（記録媒体）、４１…制御部、４２…時刻演算部、４３…時刻設定部、４４…第１時間差演算部、４５…第２時間差演算部、１０１…上部筐体（筐体）、１０２…下部筐体（筐体）、Ｓ１８…実時刻取得ステップ（設定処理での実時刻受信ステップ）、Ｓ１９…時間差演算ステップ（設定処理での時間差演算ステップ）、Ｓ２０…時間差保存ステップ（設定処理での時間差保存ステップ）、Ｓ３５…実時刻取得ステップ（補正処理での実時刻受信ステップ）、Ｓ４１…設定時刻演算ステップ（補正処理での補正時刻演算ステップ）、Ｓ４２…自動補正時刻設定ステップ（補正処理での補正時刻設定ステップ）
【図１】
2010258832.tif 000003
【図２】
2010258832.tif 000004
【図３】
2010258832.tif 000005
【図４】
2010258832.tif 000006
【図５】
2010258832.tif 000007
【図６】
2010258832.tif 000008
【図７】
2010258832.tif 000009
【図８】
2010258832.tif 000010
【図９】
2010258832.tif 000011